(57)【要約】【課題】無線ＬＡＮにおけるデータフレームを送信する方法を提供する。【解決手段】前記方法は、送信機が少なくとも一つのデータフレームを送信するための権利を有する時間区間を指示するＴＸＯＰ（ｔｒａｎｓｍｉｓｓｉｏｎ  ｏｐｐｏｒｔｕｎｉｔｙ）及び前記ＴＸＯＰのための可用帯域幅（ａｖａｉｌａｂｌｅ  ｂａｎｄｗｉｄｔｈ  ｆｏｒ  ＴＸＯＰ）を獲得し、及び前記ＴＸＯＰ中に複数のデータフレームを少なくとも一つの受信者に順次（ｓｅｑｕｅｎｔｉａｌｌｙ）送信することを含む。前記複数のデータフレームのうち後続のデータフレーム（ｓｕｂｓｅｑｕｅｎｔ  ｄａｔａ  ｆｒａｍｅ）の帯域幅は、前記複数のデータフレームのうち前記後続のデータフレーム直前に送信された先行フレーム（ｐｒｅｃｅｄｉｎｇ  ｆｒａｍｅ）の帯域幅と同じ、或いは狭いことを特徴とする。【選択図】図５
2013511238.tif 000002
【特許請求の範囲】
【請求項１】
無線ＬＡＮにおけるデータフレームを送信する方法において、
送信機が少なくとも一つのデータフレームを送信するための権利を有する時間区間を指示するＴＸＯＰ（ｔｒａｎｓｍｉｓｓｉｏｎ  ｏｐｐｏｒｔｕｎｉｔｙ）及び前記ＴＸＯＰのための可用帯域幅（ａｖａｉｌａｂｌｅ  ｂａｎｄｗｉｄｔｈ  ｆｏｒ  ＴＸＯＰ）を獲得し、及び
前記ＴＸＯＰ中に複数のデータフレームを少なくとも一つの受信者に順次（ｓｅｑｕｅｎｔｉａｌｌｙ）送信することを含み、
前記複数のデータフレームのうち後続のデータフレーム（ｓｕｂｓｅｑｕｅｎｔ  ｄａｔａ  ｆｒａｍｅ）の帯域幅は、前記複数のデータフレームのうち前記後続のデータフレーム直前に送信された先行フレーム（ｐｒｅｃｅｄｉｎｇ  ｆｒａｍｅ）の帯域幅と同じ、或いは狭いことを特徴とする方法。
【請求項２】
前記ＴＸＯＰを獲得することは、ＲＴＳ（ｒｅｑｕｅｓｔ  ｔｏ  ｓｅｎｄ）フレーム及びＣＴＳ（ｃｌｅａｒ  ｔｏ  ｓｅｎｄ）フレームを交換することを含むことを特徴とする請求項１に記載の方法。
【請求項３】
前記ＣＴＳフレームは、前記ＴＸＯＰのための前記可用帯域幅を指示する情報パラメータを含むことを特徴とする請求項２に記載の方法。
【請求項４】
前記ＴＸＯＰのための前記可用帯域幅は、前記ＲＴＳフレームのチャネル帯域幅と同じ、或いは狭いことを特徴とする請求項３に記載の方法。
【請求項５】
前記複数のデータフレームの各々は、制御部分及びデータ部分を含み、前記制御部分は、前記該当データフレームの帯域幅を指示することを特徴とする請求項１に記載の方法。
【請求項６】
前記複数のデータフレームの各々は、ＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）  ｐｒｏｔｏｃｏｌ  ｄａｔａ  ｕｎｉｔ）であることを特徴とする請求項５に記載の方法。
【請求項７】
前記複数のデータフレームのうち少なくとも一つは、ＭＵ−ＭＩＭＯ（ｍｕｌｔｉｕｓｅｒ−ｍｕｌｔｉｐｌｅ  ｉｎｐｕｔ  ｍｕｌｔｉｐｌｅ  ｏｕｔｐｕｔ）送信により送信されることを特徴とする請求項１に記載の方法。
【請求項８】
無線信号を送信及び受信するトランシーバ（ｔｒａｎｓｃｅｉｖｅｒ）；及び、
前記トランシーバと機能的に結合されたプロセッサ；を含み、
前記プロセッサは、
送信機が少なくとも一つのデータフレームを送信するための権利を有する時間区間を指示するＴＸＯＰ（ｔｒａｎｓｍｉｓｓｉｏｎ  ｏｐｐｏｒｔｕｎｉｔｙ）及び前記ＴＸＯＰのための可用帯域幅（ａｖａｉｌａｂｌｅ  ｂａｎｄｗｉｄｔｈ  ｆｏｒ  ＴＸＯＰ）を獲得し、及び
前記ＴＸＯＰ中に複数のデータフレームを少なくとも一つの受信者に順次（ｓｅｑｕｅｎｔｉａｌｌｙ）送信するように設定され、
前記複数のデータフレームのうち後続のデータフレーム（ｓｕｂｓｅｑｕｅｎｔ  ｄａｔａ  ｆｒａｍｅ）の帯域幅は、前記複数のデータフレームのうち前記後続のデータフレーム直前に送信された先行フレーム（ｐｒｅｃｅｄｉｎｇ  ｆｒａｍｅ）の帯域幅と同じ、或いは狭いことを特徴とする無線装置。
【発明の詳細な説明】
【技術分野】
【０００１】
本発明は、無線ＬＡＮシステムに関し、より詳しくは、無線ＬＡＮシステムにおけるステーション（Ｓｔａｔｉｏｎ；ＳＴＡ）のデータフレーム送信方法に関する。
【背景技術】
【０００２】
最近、情報通信技術の発展とともに多様な無線通信技術が開発されている。このうち無線ＬＡＮ（ＷＬＡＮ）は、無線周波数技術に基づいて個人携帯用情報端末機（Ｐｅｒｓｏｎａｌ  Ｄｉｇｉｔａｌ  Ａｓｓｉｓｔａｎｔ；ＰＤＡ）、ラップトップコンピュータ、携帯用マルチメディアプレーヤ（Ｐｏｒｔａｂｌｅ  Ｍｕｌｔｉｍｅｄｉａ  Ｐｌａｙｅｒ；ＰＭＰ）等のような携帯用端末機を用いて家庭や企業または特定サービス提供地域で無線でインターネットに接続することができるようにする技術である。
【０００３】
無線ＬＡＮで脆弱点と指摘されてきた通信速度に対する限界を克服するために、比較的最近に制定された技術規格としてＩＥＥＥ８０２．１１ｎがある。ＩＥＥＥ８０２．１１ｎは、ネットワークの速度と信頼性を増加させ、無線ネットワークの運営距離を拡張することを目的にする。より具体的に、ＩＥＥＥ８０２．１１ｎでは、データ処理速度が最大５４０Ｍｂｐｓ以上である高処理率（Ｈｉｇｈ  Ｔｈｒｏｕｇｈｐｕｔ；ＨＴ）をサポートし、また、送信エラーを最小化してデータ速度を最適化するために、送信部と受信部の両方ともに多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基づいている。
【０００４】
ＳＴＡは、ＷＬＡＮの普及が活性化され、これを用いたアプリケーションが多様化されることによって、最近にはＩＥＥＥ８０２．１１ｎがサポートするデータ処理速度より高い処理率をサポートするための新たなＷＬＡＮシステムに対する必要性が台頭されている。超高処理率（Ｖｅｒｙ  Ｈｉｇｈ  Ｔｈｒｏｕｇｈｐｕｔ；ＶＨＴ）をサポートする次世代無線ＬＡＮシステムは、ＩＥＥＥ８０２．１１ｎ無線ＬＡＮシステムの次のバージョンであり、ＭＡＣサービス接続ポイント（Ｓｅｒｖｉｃｅ  Ａｃｃｅｓｓ  Ｐｏｉｎｔ；ＳＡＰ）で１Ｇｂｐｓ以上のデータ処理速度をサポートするために最近に新たに提案されているＩＥＥＥ８０２．１１無線ＬＡＮシステムのうち一つである。
【０００５】
次世代無線ＬＡＮシステムは、無線チャネルを効率的に用いるために複数の非ＡＰ  ＳＴＡが同時にチャネルに接近するＭＵ−ＭＩＭＯ（ＭｕｌｔｉＵｓｅｒ  Ｍｕｌｔｉｐｌｅ  Ｉｎｐｕｔ  Ｍｕｌｔｉｐｌｅ  Ｏｕｔｐｕｔ）方式の送信をサポートする。ＭＵ−ＭＩＭＯ送信方式によると、ＡＰがＭＩＭＯペアリングされた一つ以上の非ＡＰ  ＳＴＡに同時にフレームを送信することができる。
【０００６】
ＡＰとＭＩＭＯペアリングされた複数の非ＡＰ  ＳＴＡは各々異なる能力値（ｃａｐａｂｉｌｉｔｙ）を有するようになる。この時、非ＡＰ  ＳＴＡの種類、使用目的、チャネル環境などによってサポートを受けることができる帯域幅、ＭＣＳ（Ｍｏｄｕｌａｔｉｏｎ  Ｃｏｄｉｎｇ  Ｓｃｈｅｍｅ）、ＦＥＣ（Ｆｏｒｗａｒｄ  Ｅｒｒｏｒ  Ｃｏｒｒｅｃｔｉｏｎ）などが異なる。ＴＸＯＰ区間内で各々異なる能力値を有するＳＴＡを送信する時、使用するチャネル帯域幅（ｃｈａｎｎｅｌ  ｂａｎｄｗｉｄｔｈ）を自由に調節することができる場合、周波数帯域（ｆｒｅｑｕｅｎｃｙ  ｂａｎｄ）でフレームを送受信するＡＰ及び／またはＳＴＡと干渉が発生することができるため、フレーム送受信時の信頼度に問題が発生することができる。従って、ＴＸＯＰ区間内で他のＡＰ及び／またはＳＴＡと干渉を発生させずに、互いに異なる能力値を有するＳＴＡにデータフレームを送信することができる方法が要求される。
【発明の概要】
【発明が解決しようとする課題】
【０００７】
本発明が解決しようとする技術的課題は、無線ＬＡＮシステムでＡＰ（Ａｃｃｅｓｓ  Ｐｏｉｎｔ）が複数のＳＴＡにＭＵ−ＭＩＭＯ送信技法を介してフレームを送信する方法を提供することである。
【課題を解決するための手段】
【０００８】
一態様において、無線ＬＡＮにおけるデータフレームを送信する方法が提供される。前記方法は、送信機が少なくとも一つのデータフレームを送信するための権利を有する時間区間を指示するＴＸＯＰ（ｔｒａｎｓｍｉｓｓｉｏｎ  ｏｐｐｏｒｔｕｎｉｔｙ）及び前記ＴＸＯＰのための可用帯域幅（ａｖａｉｌａｂｌｅ  ｂａｎｄｗｉｄｔｈ  ｆｏｒ  ＴＸＯＰ）を獲得し、及び前記ＴＸＯＰ中に複数のデータフレームを少なくとも一つの受信者に順次（ｓｅｑｕｅｎｔｉａｌｌｙ）送信することを含む。前記複数のデータフレームのうち後続のデータフレーム（ｓｕｂｓｅｑｕｅｎｔ  ｄａｔａ  ｆｒａｍｅ）の帯域幅は、前記複数のデータフレームのうち前記後続のデータフレーム直前に送信された先行フレーム（ｐｒｅｃｅｄｉｎｇ  ｆｒａｍｅ）の帯域幅と同じ、或いは狭いことを特徴とする。
【０００９】
前記ＴＸＯＰを獲得することは、ＲＴＳ（ｒｅｑｕｅｓｔ  ｔｏ  ｓｅｎｄ）フレーム及びＣＴＳ（ｃｌｅａｒ  ｔｏ  ｓｅｎｄ）フレームを交換することを含む。
【００１０】
前記ＣＴＳフレームは、前記ＴＸＯＰのための前記可用帯域幅を指示する情報パラメータを含む。
【００１１】
前記ＴＸＯＰのための前記可用帯域幅は、前記ＲＴＳフレームのチャネル帯域幅と同じ、或いは狭い。
【００１２】
前記複数のデータフレームの各々は、制御部分及びデータ部分を含み、前記制御部分は、前記該当データフレームの帯域幅を指示する。
【００１３】
前記複数のデータフレームの各々は、ＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）  ｐｒｏｔｏｃｏｌ  ｄａｔａ  ｕｎｉｔ）である。
【００１４】
前記複数のデータフレームのうち少なくとも一つは、ＭＵ−ＭＩＭＯ（ｍｕｌｔｉｕｓｅｒ−ｍｕｌｔｉｐｌｅ  ｉｎｐｕｔ  ｍｕｌｔｉｐｌｅ  ｏｕｔｐｕｔ）送信により送信される。
【００１５】
他の態様において、無線装置が提供される。前記無線装置は、無線信号を送信及び受信するトランシーバ（ｔｒａｎｓｃｅｉｖｅｒ）及び前記トランシーバと機能的に結合されたプロセッサを含む。前記プロセッサは、送信機が少なくとも一つのデータフレームを送信するための権利を有する時間区間を指示するＴＸＯＰ（ｔｒａｎｓｍｉｓｓｉｏｎ  ｏｐｐｏｒｔｕｎｉｔｙ）及び前記ＴＸＯＰのための可用帯域幅（ａｖａｉｌａｂｌｅ  ｂａｎｄｗｉｄｔｈ  ｆｏｒ  ＴＸＯＰ）を獲得し、及び前記ＴＸＯＰ中に複数のデータフレームを少なくとも一つの受信者に順次（ｓｅｑｕｅｎｔｉａｌｌｙ）送信するように設定される。前記複数のデータフレームのうち後続のデータフレーム（ｓｕｂｓｅｑｕｅｎｔ  ｄａｔａ  ｆｒａｍｅ）の帯域幅は、前記複数のデータフレームのうち前記後続のデータフレーム直前に送信された先行フレーム（ｐｒｅｃｅｄｉｎｇ  ｆｒａｍｅ）の帯域幅と同じ、或いは狭いことを特徴とする。
【発明の効果】
【００１６】
ＡＰは、ＴＸＯＰ区間内で多重帯域幅送信（ｍｕｌｔｉｐｌｅ  ｂａｎｄｗｉｄｔｈ  ｔｒａｎｓｍｉｓｓｉｏｎ）技法を使用してデータフレームを送信するため、無線ＬＡＮシステムでチャネル帯域幅を効率的に使用しつつ互いに異なるチャネル帯域幅能力値を有するＳＴＡにデータを送信することができ、無線ＬＡＮシステム全般の処理率（ｔｈｒｏｕｇｈｐｕｔ）が向上されることができる。
【００１７】
ＴＸＯＰ区間内でデータフレーム送信のためのチャネル帯域幅を選択する時て、以前データフレーム送信より狭い帯域幅を選択するため、他のＳＴＡ間フレーム送受信との干渉を防止することができる。
【００１８】
特定チャネル帯域幅にマッチングされるデータフレーム送信時までＴＸＯＰを割り当ててデータを送信するため、非送信対象ＳＴＡが残りの休止（ｉｄｌｅ）状態のサブチャネル（ｓｕｂｃｈａｎｎｅｌ）に接近して別途のフレーム送受信が可能であり、処理率が向上されることができる。
【図面の簡単な説明】
【００１９】
【図１】本発明の実施例が適用されることができる無線ＬＡＮ（Ｗｉｒｅｌｅｓｓ  Ｌｏｃａｌ  Ａｒｅａ  Ｎｅｔｗｏｒｋ；ＷＬＡＮ）システムの構成を示す。
【図２】本発明の実施例に係るＰＰＤＵフォーマットの一例を示すブロック図である。
【図３】本発明の実施例に係るＰＰＤＵ送信方法の一例を示す。
【図４】本発明の実施例に係るＰＰＤＵ送信方法の他の一例を示す。
【図５】本発明の実施例に係るＰＰＤＵ送信方法の他の一例を示す。
【図６】本発明の実施例に適用されることができるＣＣＡ測定例の一例を示す。
【図７】本発明の実施例に係るＰＰＤＵ送信方法を示す流れ図である。
【図８】本発明の他の実施例に係るＰＰＤＵ送信方法を示す流れ図である。
【図９】チャネル帯域幅によるパイロットシーケンス割当の一例を示す。
【図１０】本発明の実施例に適用されることができるチャネル使用例を示す。
【図１１】本発明の実施例に適用されることができるチャネル使用例を示す。
【図１２】本発明の実施例に係るＰＰＤＵ送信方法が具現されることができる無線装置を示すブロック図である。
【発明を実施するための形態】
【００２０】
図１は、本発明の実施例が適用されることができる無線ＬＡＮ（Ｗｉｒｅｌｅｓｓ  Ｌｏｃａｌ  Ａｒｅａ  Ｎｅｔｗｏｒｋ；ＷＬＡＮ）システムの構成を示す。
【００２１】
図１を参照すると、ＷＬＡＮシステムは、一つまたはその以上の基本サービスセット（Ｂａｓｉｃ  Ｓｅｒｖｉｃｅ  Ｓｅｔ；ＢＳＳ）を含む。ＢＳＳは、成功的に同期化を行って互いに通信することができるステーション（Ｓｔａｔｉｏｎ；ＳＴＡ）の集合であり、特定領域を意味するものではない。
【００２２】
インフラストラクチャ（ｉｎｆｒａｓｔｒｕｃｔｕｒｅ）ＢＳＳは、一つまたはその以上の非ＡＰステーション（ｎｏｎ−ＡＰ  ＳＴＡ１、ｎｏｎ−ＡＰ  ＳＴＡ２、ｎｏｎ−ＡＰ  ＳＴＡ３、ｎｏｎ−ＡＰ  ＳＴＡ４、ｎｏｎ−ＡＰ  ＳＴＡ５）、分散サービス（Ｄｉｓｔｒｉｂｕｔｉｏｎ  Ｓｅｒｖｉｃｅ）を提供するＡＰ（Ａｃｃｅｓｓ  Ｐｏｉｎｔ）、及び複数のＡＰを連結させる分散システム（Ｄｉｓｔｒｉｂｕｔｉｏｎ  Ｓｙｓｔｅｍ；ＤＳ）を含む。インフラストラクチャＢＳＳでは、ＡＰがＢＳＳの非ＡＰ  ＳＴＡを管理する。
【００２３】
反面、独立ＢＳＳ（Ｉｎｄｅｐｅｎｄｅｎｔ  ＢＳＳ；ＩＢＳＳ）は、アドホック（Ａｄ−Ｈｏｃ）モードに動作するＢＳＳである。ＩＢＳＳは、ＡＰを含まないため、中央で管理機能を遂行するエンティティ（Ｃｅｎｔｒａｌｉｚｅｄ  Ｍａｎａｇｅｍｅｎｔ  Ｅｎｔｉｔｙ）がない。即ち、ＩＢＳＳでは非ＡＰ  ＳＴＡが分散された方式（ｄｉｓｔｒｉｂｕｔｅｄ  ｍａｎｎｅｒ）に管理される。ＩＢＳＳでは、全てのＳＴＡが移動ＳＴＡからなることができ、ＤＳへの接続が許容されなくて自己完備的ネットワーク（ｓｅｌｆ−ｃｏｎｔａｉｎｅｄ  ｎｅｔｗｏｒｋ）を構築する。
【００２４】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定による媒体接続制御（Ｍｅｄｉｕｍ  Ａｃｃｅｓｓ  Ｃｏｎｔｒｏｌ；ＭＡＣ）と無線媒体に対する物理層（Ｐｈｙｓｉｃａｌ  Ｌａｙｅｒ）インターフェースを含む任意の機能媒体であり、広義ではＡＰと非ＡＰステーション（Ｎｏｎ−ＡＰ  ＳＴＡｔｉｏｎ）の両方ともを含む。
【００２５】
非ＡＰ  ＳＴＡは、ＡＰでないＳＴＡであり、非ＡＰ  ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動サブスクライバユニット（Ｍｏｂｉｌｅ  Ｓｕｂｓｃｒｉｂｅｒ  Ｕｎｉｔ）または単純にユーザなど、他の名称と呼ばれることもある。以下、説明の便宜のために非ＡＰ  ＳＴＡをＳＴＡという。
【００２６】
ＡＰは、該当ＡＰに結合された（Ａｓｓｏｃｉａｔｅｄ）ＳＴＡのために無線媒体を経由してＤＳに対する接続を提供する機能エンティティである。ＡＰを含むインフラストラクチャＢＳＳでＳＴＡ間の通信はＡＰを経由して行われることが原則であるが、ダイレクトリンクが設定された場合にはＳＴＡ間でも直接通信が可能である。ＡＰは、集中制御器（ｃｅｎｔｒａｌ  ｃｏｎｔｒｏｌｌｅｒ）、基地局（Ｂａｓｅ  Ｓｔａｔｉｏｎ；ＢＳ）、ノードＢ、ＢＴＳ（Ｂａｓｅ  Ｔｒａｎｓｃｅｉｖｅｒ  Ｓｙｓｔｅｍ）、またはサイト制御器などと呼ばれることもある。
【００２７】
図１に示すＢＳＳを含む複数のインフラストラクチャＢＳＳは、分散システム（Ｄｉｓｔｒｉｂｕｔｉｏｎ  Ｓｙｓｔｅｍ；ＤＳ）を介して相互連結されることができる。ＤＳを介して連結した複数のＢＳＳを拡張サービスセット（Ｅｘｔｅｎｄｅｄ  Ｓｅｒｖｉｃｅ  Ｓｅｔ；ＥＳＳ）という。ＥＳＳに含まれるＡＰ及び／またはＳＴＡは互いに通信することができ、同じＥＳＳでＳＴＡはシームレス通信しつつ一つのＢＳＳから他のＢＳＳに移動することができる。
【００２８】
ＩＥＥＥ８０２．１１による無線ＬＡＮシステムで、ＭＡＣ（Ｍｅｄｉｕｍ  Ａｃｃｅｓｓ  Ｃｏｎｔｒｏｌ）の基本接続メカニズムは、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）メカニズムである。ＣＳＭＡ／ＣＡメカニズムは、ＩＥＥＥ８０２．１１ＭＡＣの分配調整機能（Ｄｉｓｔｒｉｂｕｔｅｄ  Ｃｏｏｒｄｉｎａｔｉｏｎ  Ｆｕｎｃｔｉｏｎ；ＤＣＦ）と呼ばれることもあり、基本的に“ｌｉｓｔｅｎ  ｂｅｆｏｒｅ  ｔａｌｋ”接続メカニズムを採用している。このような類型の接続メカニズムによると、ＡＰ及び／またはＳＴＡは、送信開始前に無線チャネルまたは媒体（ｍｅｄｉｕｍ）をセンシング（ｓｅｎｓｉｎｇ）する。もし、センシング結果、媒体が休止状態（ｉｄｌｅ  ｓｔａｔｕｓ）であると判断されると、該当媒体を介してフレーム送信を始める。反面、媒体が占有状態（ｏｃｃｕｐｉｅｄ  ｓｔａｔｕｓ）であると感知されると、該当ＡＰ及び／またはＳＴＡは、自体の送信を始めないで媒体接近のための遅延期間を設定して待つ。
【００２９】
ＣＳＭＡ／ＣＡメカニズムは、ＡＰ及び／またはＳＴＡが媒体を直接センシングする物理的キャリアセンシング（ｐｈｙｓｉｃａｌ  ｃａｒｒｉｅｒ  ｓｅｎｓｉｎｇ）外に仮想キャリアセンシング（ｖｉｒｔｕａｌ  ｃａｒｒｉｅｒ  ｓｅｎｓｉｎｇ）も含む。仮想キャリアセンシングは、ヒドンノード問題（ｈｉｄｄｅｎ  ｎｏｄｅ  ｐｒｏｂｌｅｍ）などのように媒体接近上発生することができる問題を補完するためのことである。仮想キャリアセンシングのために、無線ＬＡＮシステムのＭＡＣは、ネットワーク割当ベクトル（Ｎｅｔｗｏｒｋ  Ａｌｌｏｃａｔｉｏｎ  Ｖｅｃｔｏｒ；ＮＡＶ）を用いる。ＮＡＶは、現在媒体を使用していたり、或いは使用する権限のあるＡＰ及び／またはＳＴＡが、媒体の利用可能な状態になるまで残っている時間を他のＡＰ及び／またはＳＴＡに指示する値である。従って、ＮＡＶで設定された値は、該当フレームを送信するＡＰ及び／またはＳＴＡにより媒体の使用が予定されている期間に該当する。
【００３０】
ＤＣＦと共に、ＩＥＥＥ８０２．１１ＭＡＣプロトコルは、ＤＣＦとポーリング（ｐｏｌｌｉｎｇ）ベースの同期式接続方式に全ての受信ＡＰ及び／またはＳＴＡがデータフレームを受信することができるように周期的にポーリングするＰＣＦ（Ｐｏｉｎｔ  Ｃｏｏｒｄｉｎａｔｉｏｎ  Ｆｕｎｃｔｉｏｎ）に基づくＨＣＦ（Ｈｙｂｒｉｄ  Ｃｏｏｒｄｉｎａｔｉｏｎ  Ｆｕｎｃｔｉｏｎ）を提供する。ＨＣＦは、提供者が多数のユーザにデータフレームを提供するための接続方式をコンテンションベースとするＥＤＣＡ（Ｅｎｈａｎｃｅｄ  Ｄｉｓｔｒｉｂｕｔｅｄ  Ｃｈａｎｎｅｌ  Ａｃｃｅｓｓ）とポーリング（ｐｏｌｌｉｎｇ）メカニズムを用いた非コンテンションベースのチャネル接近方式を使用するＨＣＣＡ（ＨＣＦ  Ｃｏｎｔｒｏｌｌｅｄ  Ｃｈａｎｎｅｌ  Ａｃｃｅｓｓ）を有する。ＨＣＦは、ＷＬＡＮのＱｏＳ（Ｑｕａｌｉｔｙ  ｏｆ  Ｓｅｒｖｉｃｅ）を向上させるための媒体接近メカニズムを含み、コンテンション区間（Ｃｏｎｔｅｎｔｉｏｎ  Ｐｅｒｉｏｄ；ＣＰ）と非コンテンション区間（Ｃｏｎｔｅｎｔｉｏｎ  Ｆｒｅｅ  Ｐｅｒｉｏｄ；ＣＦＰ）の両方ともでＱｏＳデータを送信することができる。
【００３１】
コンテンションベースのチャネル接近方式であるＥＤＣＡは、八つの種類のユーザ優先順位を有するフレームに対し、差別化された媒体接近を許容している。上位階層からＭＡＣ階層に到着する各フレームは、特定ユーザ優先順位値を有するようになり、各々のＱｏＳデータフレームのＭＡＣヘッダにはユーザ優先順位値が含まれる。
【００３２】
これらの優先順位を含むＱｏＳデータフレームの送信のために、ＱｏＳ  ＡＰ及び／またはＳＴＡは、４個のＡＣ（Ａｃｃｅｓｓ  Ｃａｔｅｇｏｒｙ）を具現する。ＭＡＣ階層に到着するフレームのユーザ優先順位は、互いに対応される一つのＡＣに割り当てられる。従って、ＥＤＣＡコンテンションで成功すると、ＥＤＣＡ送信機会（Ｔｒａｎｓｍｉｓｓｉｏｎ  ｏｐｐｏｒｔｕｎｉｔｙ；ＴＸＯＰ）を獲得するようになる。ＴＸＯＰは、特定ＳＴＡが無線媒体上に送信を開始する権利を有する場合に権利の持続時間間隔であり、特定ＡＰ及び／またはＳＴＡがフレームを送信することができる一定時間を付与し、これを保障するために使われる。ＴＸＯＰの送信開始時間と最大送信時間はＡＰにより決定され、ＥＤＣＡ  ＴＸＯＰの場合のビーコンフレームによりＳＴＡに通報されることができる。
【００３３】
ＥＤＣＡ技法の核心要素であるＥＤＣＡパラメータセット（ＥＤＣＡ  ｐａｒａｍｅｔｅｒ  ｓｅｔ）は、ユーザ優先順位のトラフィックに対するパラメータを示すフィールドであり、その一例に下記表１のように示すことができる。ＥＤＣＡパラメータセット（ＥＤＣＡ  ｐａｒａｍｅｔｅｒ  ｓｅｔ）は、２００９年１０月に開示された“ＩＥＥＥ８０２．１１ｎ、Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ、Ａｍｅｎｄｍｅｎｔ  ５：Ｅｎｈａｎｃｅｍｅｎｔｓ  ｆｏｒ  Ｈｉｇｈｅｒ  Ｔｈｒｏｕｇｈｐｕｔ”の７．３．２．２９節”を参照することができる。
【００３４】
【表１】
2013511238.tif 000003
前記ＥＤＣＡパラメータセットであるＡＩＦＳＮ［ＡＣ］、ＣＷｍｉｎ［ＡＣ］、ＣＷｍａｘ［ＡＣ］等の値は、ＡＰによりビーコンフレームに載せて各ＳＴＡに通報されることができる。基本的にＡＩＦＳＮ［ＡＣ］とＣＷｍｉｎ［ＡＣ］の値が小さいほど高い優先順位を有し、これによってチャネル接近遅延が短くなるため、与えられたトラフィック環境でより多くの帯域を使用する。前記のように特定ＳＴＡが送信を開始する時、ＴＸＯＰに基づいて送信時間を定める。ＡＰは、ＡＩＦＳＮ［ＡＣ］、ＣＷｍｉｎ［ＡＣ］、ＣＷｍａｘ［ＡＣ］などのＥＤＣＡパラメータとＥＤＣＡ  ＴＸＯＰ時間であるＴＸＯＰ  Ｌｉｍｉｔ［ＡＣ］をビーコンフレームに載せて各ＳＴＡに伝達する。
【００３５】
前記のようなＴＸＯＰ獲得は、プローブ応答フレーム（ｐｒｏｂｅ  ｒｅｓｐｏｎｓｅ  ｆｒａｍｅ）の送信、ＲＴＳ（ｒｅｑｕｅｓｔ  ｔｏ  ｓｅｎｄ）／ＣＴＳ（ｃｌｅａｒ  ｔｏ  ｓｅｎｄ）フレーム交換、及びＣＴＳ  ｔｏ  ｓｅｌｆフレーム送信により行われることができる。ＴＸＯＰに関連する情報は、ＡＰによりブロードキャストされることができ、前述したフレームに含まれたＥＤＣＡパラメータセット情報要素に含まれることができる。
【００３６】
既存無線ＬＡＮシステムとは違って、次世代無線ＬＡＮシステムでは、より高い処理率を要求する。これをＶＨＴ（Ｖｅｒｙ  Ｈｉｇｈ  Ｔｈｒｏｕｇｈｐｕｔ）といい、このために、次世代無線ＬＡＮシステムでは、８０ＭＨｚ、連続的な１６０ＭＨｚ（ｃｏｎｔｉｇｕｏｕｓ  １６０ＭＨｚ）、非連続的な１６０ＭＨｚ（ｎｏｎ−ｃｏｎｔｉｇｕｏｕｓ  １６０ＭＨｚ）帯域幅送信及び／またはその以上の帯域幅送信をサポートしようとする。また、より高い処理率のためにＭＵ−ＭＩＭＯ（ＭｕｌｔｉＵｓｅｒ−Ｍｕｌｔｉｐｌｅ  Ｉｎｐｕｔ  Ｍｕｌｔｉｐｌｅ  Ｏｕｔｐｕｔ）送信方法を提供する。次世代無線ＬＡＮシステムにおけるＡＰは、ＭＩＭＯペアリングされた少なくとも一つ以上のＳＴＡに同時にデータフレームを送信することができる。図１のような無線ＬＡＮシステムで、ＡＰ１０は、自体と結合（ａｓｓｏｃｉａｔｉｏｎ）されている複数のＳＴＡ２１、２２、２３、２４、３０のうち少なくとも一つ以上のＳＴＡを含むＳＴＡグループにデータを同時に送信することができる。この時、各々のＳＴＡに送信されるデータは、互いに異なる空間ストリーム（ｓｐａｔｉａｌ  ｓｔｒｅａｍ）を介して送信されることができる。ＡＰ１０の送信するデータフレームは、無線ＬＡＮシステムの物理階層（Ｐｈｙｓｉｃａｌ  Ｌａｙｅｒ；ＰＨＹ）で生成されて送信されるＰＰＤＵ（ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）  Ｐｒｏｔｏｃｏｌ  Ｄａｔａ  Ｕｎｉｔ）と呼ばれることができる。本発明の例示でＡＰ１０とＭＵ−ＭＩＭＯペアリングされた送信対象ＳＴＡグループは、ＳＴＡ１、ＳＴＡ２、ＳＴＡ３、及びＳＴＡ４と仮定する。この時、送信対象ＳＴＡグループの特定ＳＴＡには空間ストリームが割り当てられないため、データが送信されない場合がある。一方、ＳＴＡａ３０は、ＡＰと結合されているが、送信対象ＳＴＡグループには含まれないＳＴＡと仮定する。
【００３７】
図２は、本発明の実施例に係るＰＰＤＵフォーマットの一例を示すブロック図である。
【００３８】
図２を参照すると、ＰＰＤＵ２００は、Ｌ−ＳＴＦフィールド２１０、Ｌ−ＬＴＦフィールド２２０、Ｌ−ＳＩＧフィールド２３０、ＶＨＴ−ＳＩＧＡフィールド２４０、ＶＨＴ−ＳＴＦフィールド２５０、ＶＨＴ−ＬＴＦフィールド２６０、ＶＨＴ−ＳＩＧＢフィールド２７０、及びデータフィールド２８０を含むことができる。
【００３９】
ＰＨＹを構成するＰＬＣＰ副階層（ｓｕｂｌａｙｅｒ）は、ＭＡＣ（Ｍｅｄｉｕｍ  Ａｃｃｅｓｓ  Ｃｏｎｔｒｏｌ）階層から伝達を受けたＰＳＤＵ（ＰＨＹ  Ｓｅｒｖｉｃｅ  Ｄａｔａ  Ｕｎｉｔ）に必要な情報を加えてデータフィールド２８０に変換し、Ｌ−ＳＴＦフィールド２１０、Ｌ−ＬＴＦフィールド２２０、Ｌ−ＳＩＧフィールド２３０、ＶＨＴ−ＳＩＧＡフィールド２４０、ＶＨＴ−ＳＴＦフィールド２５０、ＶＨＴ−ＬＴＦフィールド２６０、ＶＨＴ−ＳＩＧＢフィールド２７０などのフィールドを加えてＰＰＤＵ２００を生成し、ＰＨＹを構成するＰＭＤ（Ｐｈｙｓｉｃａｌ  Ｍｅｄｉｕｍ  Ｄｅｐｅｎｄｅｎｔ）副階層を介して一つまたはその以上のＳＴＡに送信する。
【００４０】
Ｌ−ＳＴＦフィールド２１０は、フレームタイミング獲得（ｆｒａｍｅ  ｔｉｍｉｎｇ  ａｃｑｕｉｓｉｔｉｏｎ）、ＡＧＣ（Ａｕｔｏｍａｔｉｃ  Ｇａｉｎ  Ｃｏｎｔｒｏｌ）コンバージェンス（ｃｏｎｖｅｒｇｅｎｃｅ）、粗い（ｃｏａｒｓｅ）周波数獲得などに使われる。
【００４１】
Ｌ−ＬＴＦフィールド２２０は、Ｌ−ＳＩＧフィールド２３０及びＶＨＴ−ＳＩＧＡフィールド２４０の復調のためのチャネル推定に使用する。
【００４２】
Ｌ−ＳＩＧフィールド２３０は、Ｌ−ＳＴＡがＰＰＤＵを受信してデータの獲得時に使われる。
【００４３】
ＶＨＴ−ＳＩＧＡフィールド２４０は、ＡＰとＭＩＭＯペアリングされた（ｐａｉｒｅｄ）ＳＴＡに必要な共用制御情報と関連するフィールドであり、受信されたＰＰＤＵ２００を解釈するための制御情報を含んでいる。ＶＨＴ−ＳＩＧＡフィールド２４０は、ＭＩＭＯペアリングされた複数のＳＴＡの各々に対する空間ストリームに対する情報、帯域幅（ｂａｎｄｗｉｄｔｈ）情報、ＳＴＢＣ（Ｓｐａｃｅ  Ｔｉｍｅ  Ｂｌｏｃｋ  Ｃｏｄｉｎｇ）を使用するか否かと関連する識別情報、送信対象ＳＴＡグループに対する識別情報であるグループ識別子（Ｇｒｏｕｐ  Ｉｄｅｎｔｉｆｉｅｒ）、グループ識別子が指示する送信対象グループＳＴＡに含まれたＳＴＡに割り当てられた空間ストリームに対する情報、及び送信対象ＳＴＡの短いＧＩ（Ｇｕａｒｄ  Ｉｎｔｅｒｖａｌ）関連情報を含む。ここで、グループ識別子は、現在使われたＭＩＭＯ送信方法がＭＵ−ＭＩＭＯか、或いはＳＵ−ＭＩＭＯかを含むことができる。
【００４４】
ＶＨＴ−ＳＴＦフィールド２５０は、ＭＩＭＯ送信においてＡＧＣ推定の性能を改善するために使われる。
【００４５】
ＶＨＴ−ＬＴＦフィールド２６０は、ＳＴＡがＭＩＭＯチャネルの推定時に使われる。次世代無線ＬＡＮシステムは、ＭＵ−ＭＩＭＯをサポートするため、ＶＨＴ−ＬＴＦフィールド２６０は、ＰＰＤＵ２００が送信される空間ストリームの個数ほど設定されることができる。追加的に、フルチャネルサウンディング（ｆｕｌｌ  ｃｈａｎｎｅｌ  ｓｏｕｎｄｉｎｇ）がサポートされ、これが実行される場合、ＶＨＴ  ＬＴＦの数はより多くなることができる。
【００４６】
ＶＨＴ−ＳＩＧＢフィールド２７０は、ＭＩＭＯペアリングされた複数のＳＴＡがＰＰＤＵ２００を受信してデータの獲得時に必要な専用制御情報を含む。従って、ＶＨＴ−ＳＩＧＢフィールド２７０に含まれた共用制御情報が、現在受信されたＰＰＤＵ２００はＭＵ−ＭＩＭＯ送信されたものであることを意味する場合にのみ、ＳＴＡは、ＶＨＴ−ＳＩＧＢフィールド２７０をデコーディング（ｄｅｃｏｄｉｎｇ）するように設計されることができる。その反対に、共用制御情報が、現在受信されたＰＰＤＵ２００は単一ＳＴＡのためのもの（ＳＵ−ＭＩＭＯを含む）であることを意味する場合、ＳＴＡは、ＶＨＴ−ＳＩＧＢフィールド２７０をデコーディングしないように設計されることができる。
【００４７】
ＶＨＴ−ＳＩＧＢフィールド２７０は、各ＳＴＡの変調（ｍｏｄｕｌａｔｉｏｎ）、エンコーディング（ｅｎｃｏｄｉｎｇ）、及びレートマッチング（ｒａｔｅ−ｍａｔｃｈｉｎｇ）に対する情報を含む。ＶＨＴ−ＳＩＧＢフィールド２７０の大きさは、ＭＩＭＯ送信の類型（ＭＵ−ＭＩＭＯまたはＳＵ−ＭＩＭＯ）及びＰＰＤＵ送信のために使用するチャネル帯域幅によって異なる。
データフィールド２８０は、ＳＴＡに送信が意図されるデータを含む。データフィールド２８０は、ＭＡＣ階層でのＭＰＤＵ（ＭＡＣ  Ｐｒｏｔｏｃｏｌ  Ｄａｔａ  Ｕｎｉｔ）が伝達されたＰＳＤＵ（ＰＬＣＰ  Ｓｅｒｖｉｃｅ  Ｄａｔａ  Ｕｎｉｔ）とスクランブラを初期化するためのサービス（ｓｅｒｖｉｃｅ）フィールド、コンボリューション（ｃｏｎｖｏｌｕｔｉｏｎ）エンコーダをゼロ状態（ｚｅｒｏ  ｓｔａｔｅ）に返す時に必要なビットシーケンスを含むテール（ｔａｉｌ）フィールド、及びデータフィールドの長さを規格化するためのパディングビットを含む。
【００４８】
一方、図１のように与えられた無線ＬＡＮシステムでＡＰと結合されているＳＴＡは、互いに異なるチャネル帯域幅能力値（ｃｈａｎｎｅｌ  ｂａｎｄｗｉｄｔｈ  ｃａｐａｂｉｌｉｔｙ）を有することができる。この時、ＡＰが複数のＳＴＡにＭＵ−ＭＩＭＯ送信技法を介してデータを送信することができる最も簡単な方法は、送信のために使用するチャネル帯域幅を指示する情報を図２のようなＰＰＤＵフォーマットのＶＨＴ−ＳＩＧＢフィールドに含ませることである。この場合、各ＳＴＡは、自体に送信されるＰＰＤＵのチャネル帯域幅を、ＶＨＴ−ＳＩＧＢフィールドをデコーディング（ｄｅｃｏｄｉｎｇ）した後に知ることができる。
【００４９】
反面、図２のようなＰＰＤＵフォーマットを使用する場合、チャネル帯域幅は、ＶＨＴ−ＳＩＧＡフィールド２４０に含まれて送信される。この場合、互いに異なるチャネル帯域幅能力値を有する複数のＳＴＡは共通のチャネル帯域幅を認知することができる。このように互いに異なるチャネル帯域幅能力値を有する複数のＳＴＡが共存する無線ＬＡＮシステム環境でＴＸＯＰ区間中ＭＵ−ＭＩＭＯ送信技法を介する効率的なＰＰＤＵ送信方法に対する議論が必要である。
【００５０】
図３は、本発明の実施例に係るＰＰＤＵ送信方法の一例を示す。
【００５１】
図３を参照すると、ＡＰとＭＵ−ＭＩＭＯペアリングされた複数のＳＴＡ２１、２２、２３、２４のチャネル帯域幅能力値は、同じように４０ＭＨｚである。この場合、ＳＴＡの全てが同じチャネル帯域幅能力値を有するため、ＰＰＤＵのＶＨＴ−ＳＩＧＡフィールドに含まれるチャネル帯域幅情報を介してＭＵ−ＭＩＭＯ送信技法を用いたデータ送信が効率的に行われることができる。
【００５２】
ＡＰ１０と結合されているＳＴＡ２１、２２、２３、２４は、ＴＸＯＰの割当を受ける（Ｓ３１０）。ＴＸＯＰの割当は、ＡＰ１０により獲得されたＴＸＯＰに関連する情報がＳＴＡに送信されることを介して実行されることができ、これはビーコンフレームまたはプローブ応答フレームに含まれてブロードキャストされることを介して実行されることができる。また、ＴＸＯＰは、ＲＴＳフレーム（Ｒｅｑｕｅｓｔ  ｔｏ  ｓｅｎｄ  ｆｒａｍｅ）及びＣＴＳフレーム（Ｃｌｅａｒ  ｔｏ  ｓｅｎｄ  ｆｒａｍｅ）の交換を介して行われることができる。この時、ＴＸＯＰ区間内で使用可能なチャネル帯域幅は、ＣＴＳフレームに含まれたチャネル帯域幅パラメータ値に決定されることができる。
【００５３】
ＡＰ１０は、ＴＸＯＰ区間内でＰＰＤＵの送信時に、ＶＨＴ−ＳＩＧＡフィールドのチャネル帯域幅情報を４０ＭＨｚを指示するように設定し、複数のＳＴＡにＭＵ−ＭＩＭＯ送信技法を使用して送信する（Ｓ３２０）。ＳＴＡ２１、２２、２３、２４は、送信されるＰＰＤＵに含まれたチャネル帯域幅情報を介して、ＰＰＤＵに含まれたデータが送信されるために使われるチャネル帯域幅値を確認することができ、これによってデータを受信することができる。これはＳＴＡのチャネル帯域幅能力値が８０ＭＨｚ、連続的な１６０ＭＨｚ、及び非連続的な１６０ＭＨｚである場合にも適用されることができ、ＡＰ１０が送信するＰＰＤＵにマッチングされるチャネル帯域幅の具体的な値は、チャネル帯域幅能力値より小さい値の場合には許容されることができる。
【００５４】
図３とは違って、ＡＰとＭＵ−ＭＩＭＯペアリングされたＳＴＡが有するチャネル帯域幅能力値は、各々異なる。この場合、図２に示すフォーマットのようなＰＰＤＵを送信する場合、チャネル帯域幅情報がＶＨＴ−ＳＩＧＡフィールドに含まれて送信されるため、各ＳＴＡに互いに異なるチャネル帯域幅を指示することができない。従って、ＡＰは、ＶＨＴ−ＳＩＧＡフィールドにチャネル帯域幅情報を含ませてＰＰＤＵを送信し、該当ＰＰＤＵを受信することができるＳＴＡにＰＰＤＵを送信する。図４を参照して詳述する。
【００５５】
図４は、本発明の実施例に係るＰＰＤＵ送信方法の他の一例を示す。
【００５６】
図４を参照すると、ＡＰ１０とＭＵ−ＭＩＭＯペアリングされた複数のＳＴＡ２１、２２、２３、２４は、各々のチャネル帯域幅能力値を有し、その値は互いに同じでない。
【００５７】
ＡＰ１０と結合されているＳＴＡ２１、２２、２３、２４は、ＴＸＯＰの割当を受ける。ＴＸＯＰの割当は、ＡＰ１０により獲得されたＴＸＯＰに関連する情報がＳＴＡに送信されることを介して実行されることができ、これはビーコンフレームまたはプローブ応答フレームに含まれてブロードキャストされることを介して実行されることができる。
【００５８】
ケース１において、ＡＰ１０は、ＴＸＯＰ内で２０ＭＨｚチャネル帯域幅のＰＰＤＵを送信することができる（Ｓ４１０）。ＳＴＡ１、ＳＴＡ２、ＳＴＡ３、及びＳＴＡ４は、全部、２０ＭＨｚチャネル帯域幅以上のチャネル帯域幅能力値を有するため、ＡＰ１０は、ＰＰＤＵをペアリングされた全てのＳＴＡに送信することができる。特定ＳＴＡに送信するデータがない場合でなければ、各々のＳＴＡは、特定個数の空間ストリームの割当を受けることができ、該当空間ストリームを介してＰＰＤＵを受信することができる。
【００５９】
ケース２において、ＡＰ１０は、ＴＸＯＰ内で４０ＭＨｚチャネル帯域幅のＰＰＤＵを送信することができる（Ｓ４３０）。この時、ＳＴＡ１は、２０ＭＨｚチャネル帯域幅能力値を有するため、該当データを受信することができない。従って、ＡＰ１０は、ＳＴＡ１を除いた残りのＳＴＡにデータを送信する。これはグループＩＤがＳＴＡ１乃至ＳＴＡ４を含む送信対象ＳＴＡグループを指示し、ＳＴＡ１にデータが送信されるために使われる空間ストリームの個数を０に設定することによって具現されることができる。
【００６０】
ケース３において、ＡＰ１０は、ＴＸＯＰ内で８０ＭＨｚチャネル帯域幅のＰＰＤＵを送信することができる（Ｓ４４０）。この時、ＳＴＡ１は２０ＭＨｚ、ＳＴＡ２及びＳＴＡ３は４０ＭＨｚチャネル帯域幅能力値を有するため、該当データを受信することができない。従って、ＡＰ１０は、ＳＴＡ４にのみデータを送信する。これはグループＩＤがＳＴＡ１乃至ＳＴＡ４を含む送信対象非ＡＰ  ＳＴＡグループを指示し、ＳＴＡ１、ＳＴＡ２、及びＳＴＡ３にデータが送信されるために使われる空間ストリームの個数を０に設定することによって具現されることができる。
【００６１】
前記のように、送信対象ＳＴＡグループに含まれるＳＴＡのチャネル帯域幅能力値によって、ＡＰがＭＵ−ＭＩＭＯ送信技法を介してデータを送信することができる送信対象ＳＴＡの数が変わる。このために、互いに異なるチャネル帯域幅能力値を有する複数のＳＴＡに対してデータを送信することができる他の方法が提供されることができる。
【００６２】
図５は、本発明の実施例に係るＰＰＤＵ送信方法の他の一例を示す。
【００６３】
図５を参照すると、ＡＰ１０とＭＵ−ＭＩＭＯペアリングされた複数のＳＴＡ２１、２２、２３、２４は、各々のチャネル帯域幅能力値を有し、その値は互いに同じでない。
【００６４】
ＡＰ１０と結合されているＳＴＡ２１、２２、２３、２４は、ＴＸＯＰの割当を受ける（Ｓ５１０）。ＴＸＯＰの割当は、ＡＰ１０により獲得されたＴＸＯＰに関連する情報がＳＴＡに送信されることを介して実行されることができ、これはビーコンフレームまたはプローブ応答フレームに含まれてブロードキャストされることを介して実行されることができる。また、ＴＸＯＰは、ＲＴＳフレーム（Ｒｅｑｕｅｓｔ  ｔｏ  ｓｅｎｄ  ｆｒａｍｅ）及びＣＴＳフレーム（Ｃｌｅａｒ  ｔｏ  ｓｅｎｄ  ｆｒａｍｅ）の交換を介して行われることができる。この時、ＴＸＯＰ区間内で使用可能なチャネル帯域幅は、ＣＴＳフレームに含まれたチャネル帯域幅パラメータ値に決定されることができる。ＣＴＳフレームのチャネル帯域幅パラメータに設定された値は、ＲＴＳフレームが送信されるチャネル帯域幅より小さい値に設定されることができ、ＣＴＳフレームの該当パラメータが指示するチャネル帯域幅を介して送信されることができる。もし、ＴＸＯＰ区間内で使用可能なチャネル帯域幅が２０ＭＨｚより大きい場合、ＡＰ及び／またはＳＴＡは、ＴＸＯＰ区間内で使用可能なチャネル帯域幅より小さい、或いは同じ帯域幅を使用してＰＰＤＵを複数回にかけて送信することもできる。以下、実施例でＴＸＯＰのためのチャネル帯域幅は、８０ＭＨｚに決定されたと仮定する。
【００６５】
ＡＰ１０は、ＴＸＯＰ区間内にＰＰＤＵをＭＵ−ＭＩＭＯペアリングされた複数のＳＴＡに送信する（Ｓ５２０）。ＡＰ１０が送信するＶＨＴ−ＳＩＧＡフィールドにはチャネル帯域幅情報が含まれる。これによって、全ての端末機は、同じチャネル帯域幅が割当される。ＡＰ１０は、ＴＸＯＰ区間内にＰＰＤＵをＭＵ−ＭＩＭＯペアリングされた複数のＳＴＡに送信時、ＳＴＡのチャネル帯域幅能力値に合うＰＰＤＵを送信する。この時、ＡＰ１０は、送信区間を分けて他のチャネル帯域幅にマッチングされるＰＰＤＵを送信することができる。
【００６６】
ＡＰ１０とＳＴＡ  ２１，  ２２，  ２３  及び  ２４  との間にＴＸＯＰが設定されると、特定期間中に新たなコンテンション（ｃｏｎｔｅｎｔｉｏｎ）無しにデータ、制御、管理フレームなどを自由に送受信することができる。まず、ＡＰ１０は、ＶＨＴ−ＳＩＧＡフィールドに８０ＭＨｚチャネル帯域幅を指示するチャネル帯域幅情報が含まれたＰＰＤＵをＳＴＡ４  ２４  に送信する（Ｓ５２１）。その後、ＡＰ１０は、ＶＨＴ−ＳＩＧＡフィールドに４０ＭＨｚチャネル帯域幅を指示するチャネル帯域幅情報が含まれたＰＰＤＵをＳＴＡ２  ２２、ＳＴＡ３  ２３  、及びＳＴＡ４  ２４  に送信する（Ｓ５２２）。その次に、ＡＰ１０は、ＶＨＴ−ＳＩＧＡフィールドに２０ＭＨｚチャネル帯域幅を指示するチャネル帯域幅情報が含まれたＰＰＤＵをＳＴＡ１  ２１、ＳＴＡ２  ２２、ＳＴＡ３  ２３、及びＳＴＡ４  ２４  に送信する（Ｓ５２３）。即ち、ＡＰ１０は、送信することができるチャネル帯域幅をＭＵ−ＭＩＭＯペアリングされたＳＴＡのチャネル帯域幅能力値によって適応（ａｄａｐｔａｔｉｏｎ）することができる。
【００６７】
前述のようなＴＸＯＰ区間内で実行される多重チャネル帯域幅送信を介してチャネル帯域幅適応時に８０ＭＨｚのＰＰＤＵ送信を介してＳＴＡ４  ２４  に送信が意図されるデータが全部送信された場合、その以後にＰＰＤＵをＳＴＡ４  ２４  に送信する必要がない。従って、４０ＭＨｚのＰＰＤＵは、ＳＴＡ２  ２２  及びＳＴＡ３  ２３  にのみ送信することができる。同様に、４０ＭＨｚのＰＰＤＵ送信ステップを介してＳＴＡ２  ２２  及びＳＴＡ３  ２３  に送信が意図されるデータが全部送信された場合、その以後にＰＰＤＵを  ＳＴＡ１  ２１  に送信する必要がない。従って、２０ＭＨｚのＰＰＤＵは、ＳＴＡ１  ２１  にのみ送信することができる。
【００６８】
ＡＰ１０がＭＵ−ＭＩＭＯペアリングされた複数のＳＴＡのうち一部にＰＰＤＵを送信することは、グループＩＤ及び割り当てられた空間ストリーム数を指示する情報を介して特定されることができる。図５のような無線ＬＡＮシステムで、グループＩＤがＳＴＡ１乃至ＳＴＡ４を含むＳＴＡグループを指示する場合、特定非ＡＰ  ＳＴＡに割り当てられる空間ストリームの個数が０に設定される場合、該当非ＡＰ  ＳＴＡにはデータが送信されない。これは結果的に特定ＳＴＡにＰＰＤＵが正常に送信されないことを意味し、グループＩＤが指示するＳＴＡグループのうち特定ＳＴＡにのみＰＰＤＵを送信することができることを意味する。
【００６９】
図５のようにＡＰがＴＸＯＰ区間内で他のチャネル帯域幅を使用して多重チャネル帯域幅送信を実行する場合、後順位のＰＰＤＵ送信時に使用するチャネル帯域幅は、先順位のＰＰＤＵ送信時に使用したチャネル帯域幅より小さい、或いは同じでなければならない。即ち、広いチャネル帯域幅から低いチャネル帯域幅に帯域幅適応することを提案する。ＴＸＯＰを設定する時、ＡＰとＭＵ−ＭＩＭＯペアリングされたＳＴＡを除いた残りのＳＴＡは、ネットワーク割当ベクトル（Ｎｅｔｗｏｒｋ  Ａｌｌｏｃａｔｉｏｎ  Ｖｅｃｔｏｒ；ＮＡＶ）を設定してＰＰＤＵを送信しない。然しながら、ｄｏｚｅ状態に動作するＳＴＡであるＳＴＡａの場合、ＮＡＶを認知することができない。その結果、ＡＰは、２０ＭＨｚのＰＰＤＵを送信する中、残りのサブチャネルが休止状態で残るため、残ったチャネルはＳＴＡａにより使われることができる。この場合、ＴＸＯＰ区間内でＡＰは、ＣＣＡ測定（ｃｌｅａｒ  ｃｈａｎｎｅｌ  ａｓｓｅｓｓｍｅｎｔ  ｍｅａｓｕｒｅ）を実行しないため、２０ＭＨｚのＰＰＤＵ送信を終わった後、４０ＭＨｚ及び／または８０ＭＨｚのＰＰＤＵを送信するようになると、衝突（ｃｏｌｌｉｓｉｏｎ）が発生するおそれがある。
【００７０】
このようなチャネル帯域幅適応を適用する時は、図５に示す実施例のように、まず、大きいチャネル帯域幅のＰＰＤＵを送信する。図５を参照すると、ＡＰ１０は、８０ＭＨｚチャネル帯域幅のＰＰＤＵを送信した後、４０ＭＨｚ、２０ＭＨｚチャネル帯域幅のＰＰＤＵを送信する。
【００７１】
ただし、ＡＰは、ＴＸＯＰ内で最初のＰＤＰＵを送信する前にチャネル帯域が休止（ｉｄｌｅ）状態かどうかを確認する必要がある。例えば、ＴＸＯＰ区間内に８０ＭＨｚチャネルが休止状態であると判断されれば、その以後、８０ＭＨｚ／４０ＭＨｚ／２０ＭＨｚチャネル帯域幅に対するＣＣＡ測定を実行する必要がなく、８０ＭＨｚ、４０ＭＨｚ、２０ＭＨｚの順にＰＰＤＵを送信することができる。もし、無線ＬＡＮシステムでサポートする最大のチャネル帯域幅がより大きくなれば、該当チャネル帯域幅に合うように実行されることができる。
【００７２】
このために、ＡＰは、送信しようとするＰＰＤＵのうちチャネル帯域幅がもっとも大きい値でＣＣＡ測定をする。図５のようなＰＰＤＵ送信実施例において、８０ＭＨｚチャネル帯域幅が使用可能かに対するＣＣＡ測定を実行する。もっとも大きいチャネル帯域幅を先に測定実行しない場合、その以上のチャネル帯域幅にＰＰＤＵを送信する以前に該当帯域幅によるＣＣＡ測定を実行しなければならない。然しながら、ＴＸＯＰ区間内では原則的にＣＣＡ測定を実行せず、これはＴＸＯＰ割当を伴うＰＰＤＵ送受信技法の長所である。これは図６を参照して説明する。
【００７３】
図６は、本発明の実施例に適用されることができるＣＣＡ測定例の一例を示す。
【００７４】
図６を参照すると、ＡＰは、主チャネル（ｐｒｉｍａｒｙ  ｃｈａｎｎｅｌ）に対してバックオフインターバル（ｂａｃｋｏｆｆ  ｉｎｔｅｒｖａｌ）ほどＣＣＡ測定を実行しつつ周波数帯域が休止状態かどうかを確認する。これと同時に、ＡＰは、ＰＰＤＵを送信する前に８０ＭＨｚチャネル帯域幅に対してＰＩＦＳ（ｐｏｉｎｔ  ｉｎｔｅｒｆｒａｍｅ  ｓｐａｃｅ）ほどＣＣＡ測定を実行する。その結果、ＰＩＦＳほど全ての８０ＭＨｚ帯域幅のチャネルが休止すると、ＡＰは８０ＭＨｚ大きさのＰＰＤＵを送信することができる。
【００７５】
ＡＰがＴＸＯＰ区間中他のチャネル帯域幅を使用して複数回にかけてＰＰＤＵを送信する多重帯域幅送信において、ＰＰＤＵを送信する時のＩＦＳ（ｉｎｔｅｒｆｒａｍｅ  ｓｐａｃｅ）は、既存のＳＩＦＳ（ｓｈｏｒｔ  ｉｎｔｅｒｆｒａｍｅ  ｓｐａｃｅ）、ＲＩＦＳ（ｒｅｄｕｃｅｄ  ｉｎｔｅｒｆｒａｍｅ  ｓｐａｃｅ）が適用されることができる。
【００７６】
図７は、本発明の実施例に係るＰＰＤＵ送信方法を示す流れ図である。
【００７７】
図７を参照すると、ＡＰ１０と結合されているＳＴＡ２１、２２、２３、２４は、ＴＸＯＰの割当を受ける（Ｓ７１０）。ＴＸＯＰの割当は、ＡＰ１０により獲得されたＴＸＯＰに関連する情報が非ＡＰ  ＳＴＡに送信されることを介して実行されることができ、これはビーコンフレームまたはプローブ応答フレームに含まれてブロードキャストされることを介して実行されることができる。ＴＸＯＰ割当は、図５を参考にした実施例のＳ５１０ステップのように実行されることができる。
【００７８】
ＡＰ１０は、コンテンション区間（ｃｏｎｔｅｎｔｉｏｎ  ｐｅｒｉｏｄ）中８０ＭＨｚチャネルが休止状態であることを確認し（Ｓ７２０）、ＴＸＯＰ区間中ＰＰＤＵを送信する（Ｓ７３０）。ＡＰ１０は、ＳＴＡ２１、２２、２３、２４にＰＰＤＵを送信し、ＳＴＡ２１、２２、２３、２４は、ＡＰ１０により送信されたＰＰＤＵに対応して各々ＡＣＫフレーム（（ａｃｋｎｏｗｌｅｄｇｅｍｅｎｔ）を送信する（Ｓ７４０）。ＡＣＫフレームは、ブロックＡＣＫ（ｂｌｏｃｋ  ａｃｋｎｏｗｌｅｄｇｅｍｅｎｔ）フレームを含む概念である。ＡＰ１０によるＰＰＤＵ送信−ＳＴＡグループ２１、２２、２３、２４による受信確認応答手順（ａｃｋｎｏｗｌｅｄｇｅｍｅｎｔ  ｐｒｏｃｅｄｕｒｅ）は、以下の通りである。
【００７９】
まず、ＡＰ１０は、８０ＭＨｚのＰＰＤＵをＳＴＡ４に送信する（Ｓ７３１）。ＳＴＡ４は、ＰＰＤＵを成功的に受信した場合、ＡＰ１０にＡＣＫフレームを送信する（Ｓ７４１）。ＡＰ１０は、この後、４０ＭＨｚのＰＰＤＵをＳＴＡ２、ＳＴＡ３、及びＳＴＡ４に送信する（Ｓ７３２）。一方、ＳＴＡ２、ＳＴＡ３、及びＳＴＡ４は、４０ＭＨｚのＰＰＤＵに対する応答として直ちにＡＣＫフレームを送信することもできるが、その前にＡＰ１０が残りの２０ＭＨｚのＰＰＤＵをＳＴＡ１、ＳＴＡ２、ＳＴＡ３、及びＳＴＡ４に送信することができる（Ｓ７３３）。２０ＭＨｚのＰＰＤＵ送信が終了されれば、ＳＴＡ１は、２０ＭＨｚのＰＰＤＵに対応してＡＣＫフレームをＡＰ１０に送信する（Ｓ７４２）。ＳＴＡ２、ＳＴＡ３、及びＳＴＡ４は、４０ＭＨｚのＰＰＤＵ及び２０ＭＨｚのＰＰＤＵに対応して各々ブロックＡＣＫフレームをＡＰ１０に送信する（Ｓ７４３、Ｓ７４４、Ｓ７４５）。ＳＴＡの各々がＡＣＫフレームを送信する順序は、本実施例のような順序に制限されず、ＡＣＫフレーム送信のための無線ＬＡＮシステムで提供されるチャネル接近メカニズムにより任意に決定されることができる。
【００８０】
図８は、本発明の他の実施例に係るＰＰＤＵ送信方法を示す流れ図である。ＳＴＡは、自体のチャネル帯域幅能力値以上の帯域幅に送信されるデータは受信することができない。ただし、ＰＰＤＵに含まれたチャネル帯域幅情報が指示する帯域幅を無視し、自体のチャネル帯域幅能力値を基準にデータを受信することはできる。
【００８１】
図８を参照すると、ＡＰは割り当てられたＴＸＯＰ区間中複数のＳＴＡにＰＰＤＵを送信する。この時、ＰＰＤＵのＶＨＴ−ＳＩＧＡフィールドは、８０ＭＨｚ帯域幅を指示するチャネル帯域幅情報が含まれる。ただし、各々のＳＴＡには該当チャネル帯域幅能力値による帯域幅にマッチングされるデータが送信される。従って、ＡＰは、ＳＴＡ１には２０ＭＨｚのＰＰＤＵ、ＳＴＡ２及びＳＴＡ３には４０ＭＨｚのＰＰＤＵ、ＳＴＡ４には８０ＭＨｚのＰＰＤＵを送信する。
【００８２】
ＳＴＡは、ＰＰＤＵのＶＨＴ−ＳＩＧＡフィールドに含まれたチャネル帯域幅情報が指示するチャネル帯域幅と自体のチャネル帯域幅能力値による最大使用可能な帯域幅のうち小さい帯域幅を、データ送信のためのチャネル帯域幅としてデータを受信することができる。
【００８３】
前記のように、ＳＴＡが送信されるＰＰＤＵを受信して自体のチャネル帯域幅を基準にデータを受信することができるようにするために使われるチャネル帯域幅を決定する規則が要求される。その一例に、ＳＴＡは、シグナリングされたチャネル帯域幅とＳＴＡの最大使用可能なチャネル帯域幅のうち小さい値を使用するチャネル帯域幅に決定するように設定されることができる。ここでシグナリングされたチャネル帯域幅は、ＡＰにより送信されるＰＰＤＵのＶＨＴ−ＳＩＧＡフィールドに含まれたチャネル帯域幅指示情報が指示する値である。
【００８４】
最大使用可能なチャネル帯域幅は、該当ＳＴＡのチャネル帯域幅能力値に該当されることができ、これはＡＰとＳＴＡが結合（ａｓｓｏｃｉａｔｉｏｎ）する時、ＳＴＡがＡＰに送信する値である。また、最大使用可能なチャネル帯域幅は、ＳＴＡの運営モードを知らせる管理アクションフレームに含まれたチャネル帯域幅情報により決定されることができる。下記表２は、チャネル帯域幅情報を含む運営モード通報フレーム（ｏｐｅｒａｔｉｎｇ  ｍｏｄｅ  ｎｏｔｉｆｉｃａｔｉｏｎ  ｆｒａｍｅ）のフォーマットを示す。
【００８５】
【表２】
2013511238.tif 000004
カテゴリフィールド（ｃａｔｅｇｏｒｙ  ｆｉｅｌｄ）は、該当フレームがＶＨＴをサポートする次世代無線ＬＡＮシステムで使われることができることを指示する値に設定される。アクションフィールド（ａｃｔｉｏｎ  ｆｉｅｌｄ）は、該当フレームが運営モード通報フレームであることを指示する値に設定される。チャネル帯域幅（ｃｈａｎｎｅｌ  ｗｉｄｔｈ）フィールドは、チャネル帯域幅情報を含むフィールドである。下記表３は、チャネル帯域幅フィールドのフォーマットを示す。
【００８６】
【表３】
2013511238.tif 000005
ＳＴＡは、運営モード通報フレームを他のＳＴＡ及び／またはＡＰに送信することができる。運営モード通報フレームは、他のＳＴＡ及び／またはＡＰが自体に送信するＰＰＤＵのチャネル帯域幅に制限を設けることができるようにする。例えば、ＡＰが２０ＭＨｚのＰＰＤＵの送信を受けたい場合、ＡＰは、ＢＳＳ内のＳＴＡに運営モード通報フレームをブロードキャスティングすることができる。ＡＰがチャネル帯域幅の値を０にブロードキャスティングすると、ＢＳＳ内の他のＳＴＡは２０ＭＨｚのＰＰＤＵに送信し、これはＳＴＡが該当フレームをブロードキャスティングする場合も同様である。
【００８７】
ＡＰは、２０ＭＨｚ／４０ＭＨｚ／８０ＭＨｚのＰＰＤＵをＳＴＡのチャネル帯域幅能力値に合うように送信する時、パイロットシーケンス（ｐｉｌｏｔ  ｓｅｑｕｅｎｃｅ）の直交性（ｏｒｔｈｏｇｏｎａｌｉｔｙ）と位置を考慮する必要がある。
【００８８】
まず、２０ＭＨｚ／４０ＭＨｚ／８０ＭＨｚ各々のチャネル帯域幅を構成するパイロットシーケンスが互いに直交しない場合がある。また  、パイロットシーケンスの副搬送波（ｓｕｂｃａｒｒｉｅｒ）位置が互いに正確に一致しない場合がある。即ち、互いに異なる帯域幅においてデータトーン（ｄａｔａ  ｔｏｎｅ）とパイロットトーン（ｐｉｌｏｔ  ｔｏｎｅ）のオーバーラップ（ｏｖｅｒｌａｐ）される副搬送波での直交性を保障することができない。データトーンとパイロットトーンの直交特性（ｏｒｔｈｏｇｏｎａｌ  ｐｒｏｐｅｒｔｙ）を保障するために、データトーンをナル（ｎｕｌｌ）に変更することができる。図９は、チャネル帯域幅によるパイロットシーケンス割当の一例を示し、パイロットトーンとオーバーラップされるデータトーンがナルに割り当てられれば、直交性が保障されることができる。
【００８９】
一方、ＭＵ−ＭＩＭＯ送信技法を介するＰＰＤＵ送信が適正な利得を獲得することができる環境を仮定すれば、既にＡＰは各ＳＴＡに適切にビーム形成（ｂｅａｍｆｏｒｍｉｎｇ）してＰＰＤＵを送信したと判断される。即ち、ＡＰから各ＳＴＡに送信されるデータのために使われるチャネル帯域幅が異なっても相互に及ぼす干渉が少ない。この場合、前記のように、パイロットトーンが互いに直交することができないとしても、全体ＭＵ−ＭＩＭＯ送信のパフォーマンス（ｐｅｒｆｏｒｍａｎｃｅ）に大きく影響を及ぼさない。
【００９０】
図１０及び図１１は、本発明の実施例に適用されることができるチャネル使用例を示す。
【００９１】
ＴＸＯＰが８０ＭＨｚチャネル帯域幅に設定されたと仮定する時、ＡＰは、非ＡＰ  ＳＴＡ１、２、３、４に多重帯域幅送信によりＰＰＤＵを送信する。その結果、ＡＰが８０ＭＨｚのＰＰＤＵを全部送信した後、４０ＭＨｚ或いは２０ＭＨｚのＰＰＤＵを送信しても、他の端末機が余分のサブチャネルを使用することができない。他の端末機が休止状態のサブチャネルに接近することができる機会の提供を受けるために、ＴＸＯＰ区間は、特定チャネル帯域幅までのＰＰＤＵ送信区間に設定されることができる。
【００９２】
図１０を参照すると、ＴＸＯＰは、ＳＴＡ４に８０ＭＨｚのＰＰＤＵを送信し、ＳＴＡ２、ＳＴＡ３、ＳＴＡ４に４０ＭＨｚのＰＰＤＵを送信する区間に設定される。ＡＰ１０が送信するＰＰＤＵの送信対象ＳＴＡグループに含まれないＳＴＡａは、ＴＸＯＰ区間である８０ＭＨｚのＰＰＤＵ及び４０ＭＨｚのＰＰＤＵ送信が終了された後、チャネル接近のためのコンテンションメカニズムを実行した後、チャネルに接近してＰＰＤＵを送受信することができる。コンテンションメカニズムは、ＳＴＡａが使用しようとするチャネル帯域幅によって異なるように実行されることができ、コンテンションメカニズムを介して休止状態が確認されたチャネル帯域幅内の帯域幅を使用してＰＰＤＵを送受信することができる。
【００９３】
反面、図１１を参照すると、ＴＸＯＰは、ＳＴＡ４に８０ＭＨｚのＰＰＤＵを送信する区間に設定される。ＳＴＡａは、ＴＸＯＰ区間である８０ＭＨｚのＰＰＤＵ送信が終了され、チャネル接近のためのコンテンションメカニズムを実行した後、チャネルに接近してＰＰＤＵを送受信することができる。コンテンションメカニズムは、非ＡＰ  ＳＴＡａが使用しようとするチャネル帯域幅によって異なるように実行されることができ、コンテンションメカニズムを介して休止状態が確認されたチャネル帯域幅内の帯域幅を使用してＰＰＤＵを送受信することができる。
【００９４】
図１２は、本発明の実施例に係るＰＰＤＵ送信方法が具現されることができる無線装置を示すブロック図である。
【００９５】
図１２を参照すると、無線装置１２００は、プロセッサ１２１０、メモリ１２２０、及びトランシーバ１２３０を含む。トランシーバ１２３０は、無線信号を送信及び／または受信し、ＩＥＥＥ８０２．１１の物理階層を具現する。プロセッサ１２１０は、トランシーバ１２３０と機能的に連結され、ＰＰＤＵフォーマットのようなデータフレームを生成し、送信チャネルを選択し、データフレームを送信チャネルを介して送信する図２乃至図１１に示す本発明の実施例を具現するＭＡＣ階層及び／またはＰＨＹ階層を具現するように設定される。プロセッサ１２１０は、ＰＰＤＵフォーマットによるデータフレームを生成し、送信チャネルを選択し、該当送信チャネルを介してデータフレームを送信するように設定されることができる。
【００９６】
プロセッサ１２１０及び／またはトランシーバ１２３０は、ＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ）、他のチップセット、論理回路及び／またはデータ処理装置を含むことができる。実施例がソフトウェアで具現される時、前述した技法は前述した機能を遂行するモジュール（過程、機能など）で具現されることができる。モジュールは、メモリ１２２０に格納され、プロセッサ１２１０により実行されることができる。メモリ１２２０は、プロセッサ１２１０の内部に含まれることができ、または外部に位置して知られた多様な手段でプロセッサ１２１０と機能的に連結されることができる。
【図１】
2013511238.tif 000006
【図２】
2013511238.tif 000007
【図３】
2013511238.tif 000008
【図４】
2013511238.tif 000009
【図５】
2013511238.tif 000010
【図６】
2013511238.tif 000011
【図７】
2013511238.tif 000012
【図８】
2013511238.tif 000013
【図９】
2013511238.tif 000014
【図１０】
2013511238.tif 000015
【図１１】
2013511238.tif 000016
【図１２】
2013511238.tif 000017
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
無線ＬＡＮにおいて無線装置によってデータフレームを送信する方法であって、
前記方法は、
ＴＸＯＰ（ｔｒａｎｓｍｉｓｓｉｏｎ  ｏｐｐｏｒｔｕｎｉｔｙ）を前記無線装置によって獲得することであって、前記ＴＸＯＰは、前記無線装置が無線媒体を介してフレーム交換シーケンスを開始する権利を有する間の時間区間を示す、ことと、
複数のデータユニットのうちの非初期データユニットを前記ＴＸＯＰの間に前記無線装置によって送信することと
を含み、前記非初期データユニットを送信するために使用されるチャネル帯域幅は、先行データユニットのために使用されるチャネル帯域幅と同じ、或いは狭い、方法。
【請求項２】
前記方法は、前記複数のデータユニットのうちの前記非初期データユニットのチャネル帯域幅パラメータを、前記複数のデータユニットのうちの前記先行データユニットのチャネル帯域幅パラメータと同じ、或は小さくなるように、前記無線装置によって設定することをさらに含み、
前記非初期データユニットを送信するステップは、前記非初期データユニットのチャネル帯域幅パラメータに従って前記非初期データユニットを送信することを含む、請求項１に記載の方法。
【請求項３】
前記ＴＸＯＰを獲得するステップは、
ＲＴＳ(ｒｅｑｕｅｓｔｔｏ ｓｅｎｄ)フレームを送信することと、
ＣＴＳ(ｃｌｅａｒｔｏ ｓｅｎｄ)フレームを受信することと
を含む、請求項１または２に記載の方法。
【請求項４】
前記ＲＴＳフレームはＲＴＳ帯域幅パラメータを含み、前記ＣＴＳフレームはＣＴＳ帯域幅パラメータを含む、請求項３に記載の方法。
【請求項５】
前記ＣＴＳ帯域幅パラメータに設定された値は、前記ＲＴＳ帯域幅パラメータに設定された値と同じ、或は小さい、請求項４に記載の方法。
【請求項６】
前記先行データユニットが前記複数のデータユニットのうちの初期データユニットである場合、前記複数のデータユニットのうちの前記先行データユニットのために使用される前記チャネル帯域幅は、前記ＣＴＳ帯域幅パラメータに設定された値に従って決定される、請求項５に記載の方法。
【請求項７】
前記ＴＸＯＰ期間内に使用可能なチャネル帯域幅が２０ＭＨｚよりも大きいならば、前記データユニットは、前記ＴＸＯＰ期間内に使用可能な前記チャネル帯域幅と同じ、或は狭い帯域幅を使用して送信される、請求項１から６のいずれか一項に記載の方法。
【請求項８】
無線ＬＡＮにおいてデータフレームを送信するように構成された無線装置であって、
前記無線装置は、
トランシーバ（ｔｒａｎｓｃｅｉｖｅｒ）と、
前記トランシーバと動作可能に接続されたプロセッサと
を含み、前記プロセッサは、
ＴＸＯＰ（ｔｒａｎｓｍｉｓｓｉｏｎ  ｏｐｐｏｒｔｕｎｉｔｙ）を獲得することであって、前記ＴＸＯＰは、前記無線装置が無線媒体を介してフレーム交換シーケンスを開始する権利を有する間の時間区間を示す、ことと、
複数のデータユニットのうちの非初期データユニットを前記ＴＸＯＰの間に送信するように前記トランシーバに指示することと
を行うように構成され、前記非初期データユニットの送信のために使用されるチャネル帯域幅は、先行データユニットのために使用されるチャネル帯域幅と同じ、或は狭い、無線装置。
【請求項９】
前記プロセッサは、前記複数のデータユニットのうちの前記非初期データユニットのチャネル帯域幅パラメータを、前記複数のデータユニットのうちの前記先行データユニットのチャネル帯域幅パラメータと同じ、或は小さくなるように設定することと、前記非初期データユニットのチャネル帯域幅パラメータに従って前記非初期データユニットを送信するように前記トランシーバに指示することとを行うようにさらに構成される、請求項８に記載の無線装置。
【請求項１０】
前記トランシーバは、
ＲＴＳ(ｒｅｑｕｅｓｔｔｏ ｓｅｎｄ)フレームを送信することと、
ＣＴＳ(ｃｌｅａｒｔｏ ｓｅｎｄ)フレームを受信することと
を行うように構成される、請求項８または９に記載の無線装置。
【請求項１１】
前記ＲＴＳフレームはＲＴＳ帯域幅パラメータを含み、前記ＣＴＳフレームはＣＴＳ帯域幅パラメータを含む、請求項１０に記載の無線装置。
【請求項１２】
前記ＣＴＳ帯域幅パラメータに設定された値は、前記ＲＴＳ帯域幅パラメータに設定された値と同じ、或は小さい、請求項１１に記載の無線装置。
【請求項１３】
前記先行データユニットが前記複数のデータユニットのうちの初期データユニットである場合、前記複数のデータユニットのうちの前記先行データユニットのために使用される前記チャネル帯域幅は、前記ＣＴＳ帯域幅パラメータに設定された値に従って決定される、請求項１２に記載の無線装置。
【請求項１４】
前記プロセッサは、前記ＴＸＯＰ期間内に使用可能なチャネル帯域幅が２０ＭＨｚよりも大きいならば、前記ＴＸＯＰ期間内に使用可能なチャネル帯域幅と同じ、或は狭い帯域幅を使用して前記データユニットを送信するように前記トランシーバに指示するように構成される、請求項８から１３のいずれか一項に記載の無線装置。
【請求項１５】
前記プロセッサは、前記ＴＸＯＰにおける特定の条件が満たされていると決定されたならば、前記非初期データユニットの送信帯域幅パラメータを設定するように構成される、請求項９に記載の無線装置。
【手続補正２】
【補正対象書類名】明細書
【補正対象項目名】００１５
【補正方法】変更
【補正の内容】
【００１５】
他の態様において、無線装置が提供される。前記無線装置は、無線信号を送信及び受信するトランシーバ（ｔｒａｎｓｃｅｉｖｅｒ）及び前記トランシーバと機能的に結合されたプロセッサを含む。前記プロセッサは、送信機が少なくとも一つのデータフレームを送信するための権利を有する時間区間を指示するＴＸＯＰ（ｔｒａｎｓｍｉｓｓｉｏｎ  ｏｐｐｏｒｔｕｎｉｔｙ）及び前記ＴＸＯＰのための可用帯域幅（ａｖａｉｌａｂｌｅ  ｂａｎｄｗｉｄｔｈ  ｆｏｒ  ＴＸＯＰ）を獲得し、及び前記ＴＸＯＰ中に複数のデータフレームを少なくとも一つの受信者に順次（ｓｅｑｕｅｎｔｉａｌｌｙ）送信するように設定される。前記複数のデータフレームのうち後続のデータフレーム（ｓｕｂｓｅｑｕｅｎｔ  ｄａｔａ  ｆｒａｍｅ）の帯域幅は、前記複数のデータフレームのうち前記後続のデータフレーム直前に送信された先行フレーム（ｐｒｅｃｅｄｉｎｇ  ｆｒａｍｅ）の帯域幅と同じ、或いは狭いことを特徴とする。
（項目１）
無線ＬＡＮにおけるデータフレームを送信する方法において、
送信機が少なくとも一つのデータフレームを送信するための権利を有する時間区間を指示するＴＸＯＰ（ｔｒａｎｓｍｉｓｓｉｏｎ  ｏｐｐｏｒｔｕｎｉｔｙ）及び前記ＴＸＯＰのための可用帯域幅（ａｖａｉｌａｂｌｅ  ｂａｎｄｗｉｄｔｈ  ｆｏｒ  ＴＸＯＰ）を獲得し、及び
前記ＴＸＯＰ中に複数のデータフレームを少なくとも一つの受信者に順次（ｓｅｑｕｅｎｔｉａｌｌｙ）送信することを含み、
前記複数のデータフレームのうち後続のデータフレーム（ｓｕｂｓｅｑｕｅｎｔ  ｄａｔａ  ｆｒａｍｅ）の帯域幅は、前記複数のデータフレームのうち前記後続のデータフレーム直前に送信された先行フレーム（ｐｒｅｃｅｄｉｎｇ  ｆｒａｍｅ）の帯域幅と同じ、或いは狭いことを特徴とする方法。
（項目２）
前記ＴＸＯＰを獲得することは、ＲＴＳ（ｒｅｑｕｅｓｔ  ｔｏ  ｓｅｎｄ）フレーム及びＣＴＳ（ｃｌｅａｒ  ｔｏ  ｓｅｎｄ）フレームを交換することを含むことを特徴とする項目１に記載の方法。
（項目３）
前記ＣＴＳフレームは、前記ＴＸＯＰのための前記可用帯域幅を指示する情報パラメータを含むことを特徴とする項目２に記載の方法。
（項目４）
前記ＴＸＯＰのための前記可用帯域幅は、前記ＲＴＳフレームのチャネル帯域幅と同じ、或いは狭いことを特徴とする項目３に記載の方法。
（項目５）
前記複数のデータフレームの各々は、制御部分及びデータ部分を含み、前記制御部分は、前記該当データフレームの帯域幅を指示することを特徴とする項目１に記載の方法。
（項目６）
前記複数のデータフレームの各々は、ＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）  ｐｒｏｔｏｃｏｌ  ｄａｔａ  ｕｎｉｔ）であることを特徴とする項目５に記載の方法。
（項目７）
前記複数のデータフレームのうち少なくとも一つは、ＭＵ−ＭＩＭＯ（ｍｕｌｔｉｕｓｅｒ−ｍｕｌｔｉｐｌｅ  ｉｎｐｕｔ  ｍｕｌｔｉｐｌｅ  ｏｕｔｐｕｔ）送信により送信されることを特徴とする項目１に記載の方法。
（項目８）
無線信号を送信及び受信するトランシーバ（ｔｒａｎｓｃｅｉｖｅｒ）；及び、
前記トランシーバと機能的に結合されたプロセッサ；を含み、
前記プロセッサは、
送信機が少なくとも一つのデータフレームを送信するための権利を有する時間区間を指示するＴＸＯＰ（ｔｒａｎｓｍｉｓｓｉｏｎ  ｏｐｐｏｒｔｕｎｉｔｙ）及び前記ＴＸＯＰのための可用帯域幅（ａｖａｉｌａｂｌｅ  ｂａｎｄｗｉｄｔｈ  ｆｏｒ  ＴＸＯＰ）を獲得し、及び
前記ＴＸＯＰ中に複数のデータフレームを少なくとも一つの受信者に順次（ｓｅｑｕｅｎｔｉａｌｌｙ）送信するように設定され、
前記複数のデータフレームのうち後続のデータフレーム（ｓｕｂｓｅｑｕｅｎｔ  ｄａｔａ  ｆｒａｍｅ）の帯域幅は、前記複数のデータフレームのうち前記後続のデータフレーム直前に送信された先行フレーム（ｐｒｅｃｅｄｉｎｇ  ｆｒａｍｅ）の帯域幅と同じ、或いは狭いことを特徴とする無線装置。
【手続補正３】
【補正対象書類名】明細書
【補正対象項目名】００５９
【補正方法】変更
【補正の内容】
【００５９】
ケース２において、ＡＰ１０は、ＴＸＯＰ内で４０ＭＨｚチャネル帯域幅のＰＰＤＵを送信することができる（Ｓ４２０）。この時、ＳＴＡ１は、２０ＭＨｚチャネル帯域幅能力値を有するため、該当データを受信することができない。従って、ＡＰ１０は、ＳＴＡ１を除いた残りのＳＴＡにデータを送信する。これはグループＩＤがＳＴＡ１乃至ＳＴＡ４を含む送信対象ＳＴＡグループを指示し、ＳＴＡ１にデータが送信されるために使われる空間ストリームの個数を０に設定することによって具現されることができる。
【手続補正４】
【補正対象書類名】明細書
【補正対象項目名】００６０
【補正方法】変更
【補正の内容】
【００６０】
ケース３において、ＡＰ１０は、ＴＸＯＰ内で８０ＭＨｚチャネル帯域幅のＰＰＤＵを送信することができる（Ｓ４３０）。この時、ＳＴＡ１は２０ＭＨｚ、ＳＴＡ２及びＳＴＡ３は４０ＭＨｚチャネル帯域幅能力値を有するため、該当データを受信することができない。従って、ＡＰ１０は、ＳＴＡ４にのみデータを送信する。これはグループＩＤがＳＴＡ１乃至ＳＴＡ４を含む送信対象非ＡＰ  ＳＴＡグループを指示し、ＳＴＡ１、ＳＴＡ２、及びＳＴＡ３にデータが送信されるために使われる空間ストリームの個数を０に設定することによって具現されることができる。
【手続補正５】
【補正対象書類名】明細書
【補正対象項目名】００６７
【補正方法】変更
【補正の内容】
【００６７】
前述のようなＴＸＯＰ区間内で実行される多重チャネル帯域幅送信を介してチャネル帯域幅適応時に８０ＭＨｚのＰＰＤＵ送信を介してＳＴＡ４  ２４  に送信が意図されるデータが全部送信された場合、その以後にＰＰＤＵをＳＴＡ４  ２４  に送信する必要がない。従って、４０ＭＨｚのＰＰＤＵは、ＳＴＡ２  ２２  及びＳＴＡ３  ２３  にのみ送信することができる。同様に、４０ＭＨｚのＰＰＤＵ送信ステップを介してＳＴＡ２  ２２  及びＳＴＡ３  ２３  に送信が意図されるデータが全部送信された場合、その以後にＰＰＤＵを  ＳＴＡ２  ２２及び  ＳＴＡ３  ２３に送信する必要がない。従って、２０ＭＨｚのＰＰＤＵは、ＳＴＡ１  ２１  にのみ送信することができる。
【手続補正６】
【補正対象書類名】図面
【補正対象項目名】図１０
【補正方法】変更
【補正の内容】
【図１０】
2013511238.tif 000018
【手続補正７】
【補正対象書類名】図面
【補正対象項目名】図１１
【補正方法】変更
【補正の内容】
【図１１】
2013511238.tif 000019
【国際調査報告】
2013511238.tif 000020
2013511238.tif 000021